【手続補正書】
【提出日】平成19年1月11日(2007.1.11)
【手続補正１】
【補正対象書類名】明細書
【補正対象項目名】特許請求の範囲
【補正方法】変更
【補正の内容】
【特許請求の範囲】
【請求項１】  第一の通信リンクを使用する発呼者がアクセス可能なメールシステムであって、当該システムは、
各クライアントメールアカウントがクライアントと関連している、複数のクライアントメールアカウントと、
該クライアントメールアカウントにおいてメッセージを受信し、記憶するための手段と、
発呼者の身元を識別し、照合するための手段と、
該クライアントメールアカウントからのメッセージを取得するための手段と、
当該メールシステムから、発呼者によって選択されたアドレスに、第二の通信リンクを確立するための手段と、
第一の通信リンクを介して、第二の通信リンクに発呼者を接続し、それによって、該選択されたアドレスに接続するための手段と、
第二の通信リンクの終了時に、第一の通信リンクを維持するための手段とを有する、前記メールシステム。
【請求項２】  第二の通信リンクが、発呼者によって特定された限定数のアドレスのうちの１つに発呼者を接続する請求項１に記載のメールシステム。
【請求項３】  第一の通信リンクが、発呼者に関連したユーザーインターフェースデバイスを当該メールシステムに接続する請求項１または請求項２に記載のメールシステム。
【請求項４】  ユーザーインターフェースデバイスが、電話、携帯電話、ページャー、コンピュータデバイスまたはワイヤレスアプリケーションプロトコール（Wireless Application Protocol）（ＷＡＰ）端末である、請求項３に記載のメールシステム。
【請求項５】  第二の通信リンクが、公衆電話網（Public Switched Telephone Network）（PSTN）のエクステンション（extension）に当該メールシステムを接続し、当該メールシステムが、さらに、
該エクステンションにおけるビジー（busy）または話中（engaged）信号を検出するための手段と、
ビジー信号または話中信号がもはや検出されないときに、当該メールシステムを介して、該発呼者と該エクステンションとの間に第二の通信リンクを自動的に確立するための手段とを有する、
請求項１〜４のいずれか１項に記載のメールシステム。
【請求項６】  発呼者がコンピュータ使用デバイスおよびモデムを使用することによってメッセージを取得し得るような電子フォームでクライアントメールアカウントにメッセージを記憶するための手段をさらに有する請求項１〜５のいずれか１項に記載のメールシステム。
【請求項７】  発呼者が当該メールシステムから音声メッセージを取得し得るように、電子フォームで記憶されたメッセージを音声メッセージに変換するための手段をさらに有する請求項１〜６のいずれか１項に記載のメールシステム。
【請求項８】  音声スピーチ（speech）を認識するため、および認識した音声スピーチに応答してシステムコマンドを発するのに適合した音声認識手段をさらに有する請求項１〜７のいずれか１項に記載のメールシステム。
【請求項９】  メールシステムであって、当該メールシステムが、
音声ユーザーインターフェースと、
グラフィカルユーザーインターフェースと、
各ユーザーが関連ユーザーメニューを有する、複数のユーザー選択可能オプションを有するユーザーメニューと、
該音声ユーザーインターフェースを介して、該ユーザーメニューをユーザーに送る手段と、
該グラフィカルユーザーインターフェースを介して、該ユーザーメニューをユーザーに送る手段とを有し、
ユーザーが音声ユーザーインターフェースまたはグラフィカルユーザーインターフェースのいずれかを使用することよって各ユーザーに関連したユーザーメニューのカスタマイズが可能である、前記メールシステム。
【請求項１０】  音声ユーザーインターフェースを介して送られるユーザーメニューの構造が、グラフィカルユーザーインターフェースを介して送られるユーザーメニューの構造に対応する請求項９に記載のメールシステム。
【請求項１１】  電気通信ネットワークであって、当該電気通信ネットワークは、
各ユーザーアカウントがユーザーと関連し、各ユーザーアカウントがユーザーメッセージアカウントと、ユーザー金融アカウントとを有し、該ユーザーメッセージアカウントが、メッセージを受信し、送信するために、ユーザーによって利用可能である、複数のユーザーアカウントと、
金融商品を受け取るのに適合し、かつ予め決定したユーザー金融アカウントに該金融商品を預入するのに適合している金融サーバと、
予め決定したユーザー金融アカウントへの金融商品の預入を示す情報を含む受領メッセージを、予め決定したユーザー金融アカウントに関連したユーザーメッセージアカウントに預入するための手段とを有する、前記電気通信ネットワーク。
【請求項１２】  金融商品が金銭的な値に対応する請求項１１に記載の電気通信ネットワーク。
【請求項１３】  金融商品が消費者のロイヤルティースキームの報酬ポイントに対応する請求項１１に記載の電気通信ネットワーク。
【請求項１４】  ユーザーメッセージアカウントが、音声メールアカウントと、アレンジメントとを有し、該アレンジメントは、外部のユーザーインターフェースからネットワークにアクセスすることによって、ユーザーが該音声メールアカウントからメッセージを取得し得るようなものである、請求項１１〜１３のいずれか１項に記載の電気通信ネットワーク。
【請求項１５】  ユーザーメッセージアカウントが、電子フォームのメッセージを受信するのに適合した電子メールアカウントを有する請求項１１〜１４のいずれか１項に記載の電気通信ネットワーク。
【請求項１６】  電子テキストメッセージが音声メッセージとしてユーザーメッセージアカウントから取得可能であるように、該ユーザーメッセージアカウントと協働するのに適合したテキスト−音声変換器をさらに有する請求項１１〜１５のいずれか１項に記載の電気通信ネットワーク。
【請求項１７】  音声認識手段をさらに有する請求項１１〜１６のいずれか１項に記載の電気通信ネットワーク。
【請求項１８】  ドキュメントデリバリーシステムであって、当該ドキュメントデリバリーシステムは、
各ユーザーアカウントがユーザーと関連し、各ユーザーアカウントがメッセージアカウントと、金融アカウントとを有し、各金融アカウントが、ユーザーに関連した金融負債を示すユーザーの金融明細書のメッセージを受信するのに適合している、複数のユーザーアカウントと、
該メッセージアカウントから、金融明細書のメッセージを取得するためのメッセージ取得手段と、
ユーザーに関連した金融アカウントから金融商品を転送することによって、ユーザーに関連した金融負債に対する支払いを容易にするための手段とを有する、前記ドキュメントデリバリーシステム。
【請求項１９】  ユーザー金融明細書のメッセージが、ドキュメントデリバリーシステムの外部にあるエンティティーから受信され、支払いを容易にするための手段が、エンティティーによって特定された金融アカウントに金融商品を転送するための手段を有する、請求項１８に記載のドキュメントデリバリーシステム。
【請求項２０】  電気通信システムであって、当該電気通信システムは、
電気通信リンクを介して外部のユーザーインターフェースデバイスとの接続を確立するための手段と、
ランダムアクセスメモリーと、
ユーザーにランダムアクセスメモリーの一部を割り当てるための手段と、
少なくとも１つのユーザーが要望した処理を実行するために、割り当てられた該ランダムアクセスメモリーの部分に少なくとも１つのソフトウェアアプリケーションをロードするための手段と、
接続を介して、少なくとも１つの処理の可視または可聴の表示をユーザーに送るための手段と、
接続を介して、ユーザーから少なくとも１つの処理に関するコマンドを受けるための手段とを有し、
割り当てられた該ランダムアクセスメモリーの部分が、ユーザー接続の終了、または割り当てられた該ランダムアクセスメモリーで行う該処理の結果のいずれかに応答して、異なるユーザーへの再割り当てに役立つようにされている、前記電気通信システム。
【請求項２１】  処理を実行するのに適合した処理手段をさらに有する請求項２０に記載の電気通信システム。
【請求項２２】  ユーザーを複数のユーザーのタイプのうちの１つとして識別するための手段であって、少なくとも１つのソフトウェアアプリケーションが該ユーザーのタイプに基づいてロードされる手段をさらに有する請求項２０または請求項２１に記載の電気通信システム。
【請求項２３】  割り当てられたランダムアクセスメモリーの部分へのアクセスが２つ以上のレベルを備え、少なくとも１つの該レベルへのアクセスが、ファイアウォールによって保護されている、請求項２０〜２２のいずれか１項に記載の電気通信システム。
【請求項２４】  ユーザーに提供されるアクセスのレベルは、ユーザーが閲覧するかもしくは取得し得るデータおよび／またはユーザーがアクセスし得るソフトウェアアプリケーションを決定する請求項２３に記載の電気通信システム。
【請求項２５】  ランダムアクセスメモリーにリンクされるソフトウェアストレージ手段をさらに有する請求項２０〜２４のいずれか１項に記載の電気通信システム。
【請求項２６】  ランダムアクセスメモリーにリンクされるソフトウェアアクセス手段をさらに有し、ソフトウェアアクセス手段が、遠隔地（remote location）に記憶されたソフトウェアにアクセスするのに適合している請求項２０〜２４のいずれか１項に記載の電気通信システム。